(57)【要約】【課題】  緊急を要する患者等を担架で搬送する際、最も要求される搬送してからベッド等での担架の分割除去を迅速にかつ容易に行うとともに、分割型に求められる連結を強固にして安全に搬送することができる分割型担架を提供する。【解決手段】  棒状支持体１の長さ方向の一側に柔軟性を有するシート状の載架体２を一体的に取り付け、この載架体２のほぼ全長の側端部に亘って連結部３を形成してなる同一形状の一対の担架部材Ａ、Ｂとより形成され、前記担架部材Ａに形成される連結部３を係止部３ａとし、担架部材Ｂに形成される連結部３を被係止部３ｂとして、係止部３ａと被係止部３ｂとが係合された連結状態において搬送に供すると共に、係止部３ａの端部に設けた操作部４の操作により係止部３ａと被係止部３ｂとの係合を解いて、乗架した患者から一対の担架部材Ａ、Ｂをそれぞれ横方向に抜去してなる。【選択図】図１
2008212604.tif 000002
【特許請求の範囲】
【請求項１】
棒状支持体の一側に柔軟性を有するシート状の載架体を一体的に取り付け、この載架体のほぼ全長の側端部に連結部を形成してなる長形状の一対の担架部材とよりなり、前記連結部を係止した連結状態において搬送に供すると共に、連結部の解除操作により連結係止を解いて一対の担架部材を抜去してなることを特徴とする分割型担架。
【請求項２】
前記連結部は、一方の担架部材を係止部として、シート状の載架体の側端部に沿って適宜間隔を有して複数の係止穴を有する差込片を設け、この差込片には、先端側にスプリングを根元側に操作部を備え、係止穴に対応するＬ字状の穴部を有する閉止片を設けた摺動体を摺動可能に内蔵されるストッパー部を設け、他方の担架部材を被係止部として、シート状の載架体の側端部に沿って前記差込片の係止穴に合致する複数の係止ピンを設けたＵ字状の受止め部を設けて形成され、搬送時には一対の担架部材を並列して、一方の担架部材の係止部の差込片を、他方の担架部材を被係止部の受止め部に挿入し、差込片の係止穴に受止め部の係止ピンが嵌合された状態でストッパー部の操作部によりスプリングを介して摺動体を摺動して、差込片の係止穴の開口端を閉鎖して連結されることを特徴とする請求項１記載の分割型担架。
【請求項３】
前記シート状の載架体には、長さ方向に適宜間隔を有して保形性を有する補助部材を設けてなる請求項１または２記載の分割型担架。
【発明の詳細な説明】
【技術分野】
【０００１】  本発明は、負傷者や患者等を乗架して搬送する担架、とくにベッドや手術台に移送する際患者を乗架したまま担架のみを容易に引き抜くことができる分割型の担架に関するものである。
【背景技術】
【０００２】  従来、担架は大部分が負傷者等を搬送するとき、ベッドまたは治療台に担架ごと乗せてから患者を持ち上げて担架を取り除くか、あるいはベッド等の脇にいったん置いて別途人の手で患者を移し変えたりすることが行われていた。【０００３】  このため、担架の運搬布を分割にして板状のつなぎで繋いだものがある（例えば、参考文献１参照）。
また、担架を対向フレーム部分で分離し、これらの部分を負傷者の下方に簡単に挿入し、担架上に負傷者を支持したまま組み立てるようにした形の分離型または割型すくい上げ式担架がある（例えば、参考文献２参照）【０００４】
【特許文献１】  特開平８−１１２３１３号公報
【特許文献２】  特公平２−５４０９８号公報
【発明の開示】
【発明が解決しようとする課題】
【０００５】  しかしながら、この種の参考文献１記載の分割担架においては、運搬布を分割して板状のつなぎで繋いでいるもので、患者をベッドに移送した状態でこのつなぎを引き抜いて運搬布を分割するものであるが、患者の荷重が付加された状態で引き抜かなければならず、また、つなぎを完全に運搬布の孔から抜き取ってから運搬布を抜去しなければならず手間や時間を要することがあり、また、つなぎを左右の運搬布に設けた孔に交互に挿通して連結するもので、組み立てにも時間を要し、緩い場合には搬送途中でつなぎ材が抜き出す危険があった。【０００６】  また、参考文献２記載の分割担架は、分割状態にして患者等をすくい上げるようにして乗せて分割された担架を結合して搬送に供するもので、患者を載せた状態で結合しなければならず、またベッド等に移送する際には手間が必要となるものである。【０００７】  本発明は、緊急を要する患者等を担架で搬送する際、最も要求される搬送してからベッド等での担架の分割除去を迅速にかつ容易に行うとともに、分割型に求められる連結を強固にして安全に搬送することができる分割型担架を提供することを目的とするものである。
【課題を解決するための手段】
【０００８】  上記目的を達成するため、本発明に係る分割型担架は、棒状支持体の一側に柔軟性を有するシート状の載架体を一体的に取付け、この載架体のほぼ全長の側端部に連結部を形成してなる長形状の一対の担架部材よりなり、前記連結部を係止した連結状態において搬送に供すると共に、連結部の解除操作により連結係止を解いて一対の担架部材を抜去してなることを特徴とするものである。【０００９】  さらに、前記連結部は、一方の担架部材を係止部として、シート状の載架体の側端部に沿って適宜間隔を有して複数の係止穴を有する差込片を設け、この差込片には、先端側にスプリングを根元側に操作部を備え、係止穴に対応するＬ字状の穴部を有する閉止片を設けた摺動体を摺動可能に内蔵されるストッパー部を設け、他方の担架部材を被係止部として、シート状の載架体の側端部に沿って前記差込片の係止穴に合致する複数の係止ピンを設けたＵ字状の受止め部を設けて形成され、搬送時には一対の担架部材を並列して、一方の担架部材の係止部の差込片を、他方の担架部材の被係止部の受止め部に挿入し、差込片の係止穴に受止め部の係止ピンが嵌合された状態でストッパー部の操作部によりスプリングを介して摺動体を摺動して、差込片の係止穴の開口端を閉鎖して連結されることを特徴とするものである。【００１０】  さらに、前記シート状の載架体には、長さ方向に適宜間隔を有して保形性を有する補助帯片を設けてなることを特徴とするものである。
【発明の効果】
【００１１】  上記の構成を有する本発明に係るに分割型担架によれば、一対の担架部材のシート状の載架体に設けた連結部を介して分割可能に形成されもので、連結部の係止部と被係止部を一体的に連結結合して患者等を乗架して搬送に供せられ、また搬送した後患者を乗架したままでシート状の載架体の連結状態を解除して分離させことにより容易に抜去するとことができる。【００１２】  さらに、担架に乗っている患者等を持ち上げたり、移動させたりすることなく乗架したまま患者等に負担をかけずに、しかも端部に設けられる操作部のワンタッチ動作で連結部の連結状態が解除され、簡単に一対の担架部材を分離して抜去することができる。【００１３】  さらに、一方の担架部材のシート状の載架体に設けた差込片にはストッパー部が設けられ、このストッパー部は差込片に内蔵される摺動体の先端側にスプリングが、根元側にはクリップ状の操作部が形成され、この操作部のワンタッチ動作でスプリングを介して摺動体を摺動して、差込片に形成された係止穴を開閉することにより、連結時には受止め片の係止ピンを確実に保持し、また分離時には受止め片の係止ピンを差込片の係止穴から容易に外して、担架部材を容易に、確実に着脱することができる。【００１４】  また、シート状の載架体には、長さ方向に適宜間隔を有して複数の保形性を有する補助帯片を設けてなることにより、連結部との違和感を解消することができる。
【発明を実施するための最良の形態】
【００１５】  以下本発明に係る分割型担架について、添付図面を用いて説明する。
図１は本発明に係る分割型担架の分離された状態を示す斜視図、図２は同じく連結された状態を示す斜視図、図３は分割型担架を構成する一方の担架部材の要部を示す平面状態の略示図、図４はその断面状態を示す略示図、図５は分割型担架を構成する他方の担架部材の要部を示す平面状態の略示図、図６はその断面状態を示す略示図、図７は一方の担架部材の差込片に設けた係止穴の開口状態を示す平面略示図、図８は一方の担架部材の差込片に設けた係止穴の閉止状態を示す平面略示図、図９は、ストッパー部の操作部を示すもので、（イ）は摺動体のＬ字状穴と差込片の係止穴が合致した開口状態の位置を、（ロ）は摺動体の閉止片で差込片の係止穴を封止した状態の位置をそれぞれ示す略示図、図１０は他の分割型担架を示す平面図である。
である。【００１６】    本発明に係る本発明に係る分割型担架は、図１及び図２に示すように、棒状支持体１の長さ方向の一側に柔軟性を有するシート状の載架体２を一体的に取り付け、この載架体２のほぼ全長の側端部に亘って連結部３を形成してなる略同一形状の一対の担架部材Ａ、Ｂとより形成され、前記担架部材Ａに形成される連結部３を係止部３ａとし、担架部材Ｂに形成される連結部３を被係止部３ｂとして、係止部３ａと被係止部３ｂとが係合された連結状態において搬送に供すると共に、係止部３ａの端部に設けたストッパー部８の操作部４の解除操作により係止部３ａと被係止部３ｂとの係合を解いて、乗架した患者から一対の担架部材Ａ、Ｂをそれぞれ横方向に抜去してなるものである。【００１７】  一方の担架部材Ａの連結部３を構成する係止部３ａは、図３及び図４に示すように、シート状の載架体２の側端縁の長さ方向に一体的に取付けられる保持片５に、適宜間隔を有して複数の係止穴７を設けた長尺の差込片６をほぼ全面に亘って取付け、かつ、この差込片６にはストッパー部８が内蔵されている。【００１８】  他方の担架部材Ｂの連結部３を構成する被係止部３ｂは、図５及び図６に示すように、シート状の載架体２の側端縁の長さ方向に一体的に取付けられる保持片５に、適宜間隔を有して前記係止部３ａに設けられている差込片６の係止穴７に嵌合される複数の係止ピン１０を設けたＵ字状の受止め片９が設けられている。【００１９】  担架部材Ａの係止部３ａに設けられるストッパー部８は、図３に示すように、差込片６に内蔵される帯状の摺動体１１の先端側にスプリング１２を、根元側に、図９に示すように、クリップ状の操作部４をそれぞれ設けている。【００２０】  摺動体１１は、図７に示すように、差込片６の係止穴７の対応位置にＬ字状の穴部１３が設けられ、担架部材Ａ、Ｂが分離されているときは、Ｌ字状の穴部１３の開口端は、操作部４を引き寄せてスプリング１２の付勢に抗して摺動体１１を摺動して、係止穴７の開口端と合致された開口状態とする。【００２１】  連結される状態においては、図８に示すように、差込片６の係止穴７とＬ字状の穴部１３が開口された状態で差込片６を受止め片９に差し込んで、係止穴７に係止ピン１０が挿着されたのち、操作部４でスプリング１２の付勢を解いて、摺動体１１を摺動することによって、Ｌ字状の穴部１３が移動して隣接して設けられている閉止片１４により係止穴６の開口端を封止して連結される。【００２２】  また、連結された一対の担架部材Ａ、Ｂを分離する際は、操作部４でスプリング１２の付勢に抗して摺動体１１を摺動してＬ字状の穴部１３の開口端と係止穴７の開口端と合致させて開口状態として一対の担架部材を分離するものである。【００２３】  クリップ状に形成される操作部４は、図９に示すように、摺動体１１の端部に取り付けられる取付片４ａにやや傾斜状の可動片４ｂがバネ４ｃを介して弾発状に設け、可動片４ｂの先端側の下面に係止爪４ｄが設けられている。【００２４】  係止部３ａと被係止部３ｂを連結する際、または、連結状態を解くとき、すなわち、差込片６の係止穴７と摺動体１１のＬ字状の穴部１３を合致させて開口状態とするには、図９（イ）に示すように、���作部４を引き寄せて係止爪４ｄを差込片６の端部に引掛け状に係止している。【００２５】  また、差込片６が受止め片９に挿入され、係止穴７に係止ピン１０が嵌合される連結状態においては、図９（ロ）に示すように、操作部４の可動片４ｂにより差込片６の端部における係止を解くと、スプリング１２の付勢力により先端側に移動され、係止ピン１０を嵌合した差込片６の係止穴７の開口端を閉止片１４で封止するとともに、操作部４の係止爪４ｄが差込片６に設けられている停止穴６ａに嵌合して操作部４が係留され、係止穴７から係止ピン１０が妄りに抜け出すのを防止している。【００２６】  分割された担架部材Ａ、Ｂを連結する際には、担架部材Ａの差込片６に設けられているストッパー部８の根元側に設けられているクリップ状の操作部４を先端のスプリング１２に抗して手元に引き寄せて差込片７の端部に係止爪４ｄを引掛け係止して、内蔵されている摺動体１１のＬ字状の穴部１４の開口端が差込片６に設けた係止穴７の開口端と合致して開口された状態とする（図７参照）。【００２７】  この状態で担架部材Ａの係止部３ａの差込片６を、担架部材Ｂの被係止部３ｂの受止め片９に差し込み、差込片６に設けた複数の係止穴７に、受止め片９に設けた複数の係止ピン１０を挿入したのち、ストッパー部８の操作部４の係止を解いて、スプリング１２の付勢力により摺動体１１を摺動してＬ字状の穴部１３に設けられている閉止片１４で係止穴７の開口端を封止することにより担架部材Ａ、Ｂが強固に連結結合された担架が得られ患者等を乗架させて搬送するものである（図８参照）。【００２８】  図３に示すように、担架部材Ａの差込片６の両端部には案内ピン１５が設けられ、また図５に示すように、対応する担架部材Ｂの受止め片９の両端部には切欠き部１６が形成されて、分割されている一方の担架部材Ａの差込片６を他方の担架部材Ｂの受止め片９に差し込む際、案内ピン１５を切欠き部１６に差込むことにより、複数の係止穴７と係止ピン１０が正確にかつ速やかに合致するよう案内されるとともに連結された結合状態において二つの担架部材Ａ、Ｂの長さ方向のずれを防止するものである。【００２９】  前記シート状の載架体２は、図１０に示すように、防水性をもつ柔軟性を有する布地や合成樹脂製のシートは用いられるが、連結部３を考慮して患者に違和感を生じさせぬようその長さ方向において適宜間隔で連結部の保持片５と同質または同程度の感触を有する保形性をもった複数の補助帯片１７・・・が取付けられている。【００３０】  担架部材Ａ、Ｂの棒状支持体１とシート状の載架体２との結合は、載架体２の端部に棒状支持体１を適宜手段で固定するものでも、また、載架体２の端部に挿通孔を形成して棒状支持体１を着脱可能に挿着するものでもよく、また、図１に示すように、棒状支持体１の両端をシート状の載架体２より突出させて搬送者の支え部１８を形成したものでも、図１０に示すように、棒状支持体１の両端より突出させずに載架体２の棒状支持体１との接触部に切欠き部１９を設けて支え部１８を形成するものであっても、併用するものでもよい。また、図１に示す符号２０は、患者を保護するためのベルト状のバンド部である。
【図面の簡単な説明】
【００３１】
【図１】  本発明に係る分割型担架の分離された状態を示す斜視図
【図２】  同じく連結された状態を示す斜視図
【図３】  分割型担架を構成する一方の担架部材の要部を示す平面状態の略示図
【図４】  その断面状態を示す略示図
【図５】  分割型担架を構成する他方の担架部材の要部を示す平面状態の略示図
【図６】  その断面状態を示す略示図
【図７】  一方の担架部材の差込片に設けた係止穴の開口状態を示す平面略示図
【図８】  一方の担架部材の差込片に設けた係止穴の閉止状態を示す平面略示図
【図９】  ストッパー部の操作部を示すもので、（イ）は摺動体のＬ字状穴と差込片の係止穴が合致した開口状態の位置を、（ロ）は摺動体の閉止片で差込片の係止穴を閉止した状態の位置をそれぞれ示す略示図
【図１０】  他の分割型担架を示す平面図
【符号の説明】
【００３２】  Ａ、Ｂ    担架部材
１        棒状支持体
２        載架体
３        連結部
３ａ      係止部
３ｂ      被係止部
４        操作部
４ａ      取付片
４ｂ      可動片
４ｃ      バネ
４ｄ      係止爪
５        保持片
６        差込片
６ａ      差込片６の停止穴
７        差込片６の係止穴
８        ストッパー部
９        受止め片
１０      受止め片９の係止ピン
１１      摺動体
１２      スプリング
１３      摺動体１１の穴部
１４      摺動体１１の閉止片
１５      案内ピン
１６      切欠き部
１７      補助帯片
１８      支え部
１９      切欠き部
２０      ベルト部
【図１】
2008212604.tif 000003
【図２】
2008212604.tif 000004
【図３】
2008212604.tif 000005
【図４】
2008212604.tif 000006
【図５】
2008212604.tif 000007
【図６】
2008212604.tif 000008
【図７】
2008212604.tif 000009
【図８】
2008212604.tif 000010
【図９】
2008212604.tif 000011
【図１０】
2008212604.tif 000012